(57)【要約】【課題】物差しを根管長測定器に一体的に設け、物差しの管理をより容易にするとともに、片方の手での計測を可能とし計測をより確実なものとし、更には、右利きの術者、左利きの術者にも使い勝手のよい歯科用根管長測定器を提供することを目的としてなされたものである。【解決手段】根管長測定器１０の筐体の表面に水平方向に延長する寸法目盛１２Ｒ及び／又は１２Ｌを有する。該寸法目盛は右端を０として左方に延長する右利き術者用の目盛１２Ｒと、左端を０として右方に延長する左利き術者用の目盛１２Ｌとからなる。【選択図】図１
2008068015.tif 000002
【特許請求の範囲】
【請求項１】
測定器筐体の表面に水平方向に延長する寸法目盛を有し、該寸法目盛は右端を０として左方に延長する目盛と、左端を０として右方に延長する目盛とからなることを特徴とする歯科用根管長測定器。
【請求項２】
前記寸法目盛は、前記測定器筐体に対して着脱自在である目盛板に目盛られていることを特徴とする請求項１に記載の歯科用根管長測定器。
【請求項３】
前記目盛板は、右端を０として左方に延長する目盛を有する目盛板と、左端を０として右方に延長する目盛を有する目盛板とからなることを特徴とする請求項２に記載の歯科用根管長測定器。
【請求項４】
前記目盛板は、左端を０として左方に延長する目盛と、左端を０として右方に延長する目盛を有する単一の目盛板からなることを特徴とする請求項２に記載の歯科用根管長測定器。
【請求項５】
前記目盛板は、軸方向に直角の断面形状において、中央部が弧状に突出していることを特徴とする請求項２乃至４のいずれかに記載の歯科用根管長測定器。
【請求項６】
前記目盛板は、少なくとも一端に、軸方向に直角の方向に、２つの凸部と、該２つの凸部の間に設けられた凹部を有し、該凹部に前記根管長測定針を該目盛板の軸方向に沿って挿入可能としたことを特徴とする請求項２乃至４のいずれかに記載の歯科用根管長測定器。
【請求項７】
前記目盛は、根管長測定後における根管長測定針上のストッパの位置、すなわち、前記根管長測定針の先端から前記ストッパまでの長さを測定するものであることを特徴とする請求項１乃至６のいずれかに記載の歯科用根管長測定器。
【発明の詳細な説明】
【技術分野】
【０００１】
本発明は、歯科用根管長測定器、より詳細には、根管治療に先立って行われる根管長測定において、根尖孔の位置を検出した後の根管長測定針に留保されているストッパの位置、すなわち、根管長測定針の先端から前記ストッパまでの長さ（根管長）を計測する目盛を一体的に有する歯科用根管長測定器に関する。
【背景技術】
【０００２】
根管治療においては、根管治療に先立って、根管長測定針（ファイル）を根管内に挿入し、その先端が根尖孔の位置に到達したことを検知し、その状態で、根管長測定針に挿通されたストッパの位置を歯冠に当接させ、その状態で根管長測定針を根管から引き出し、物差し等を用いて、根管長測定針の先端から前記ストッパまでの長さ（根管長）を計測して根管長を求めている。
【０００３】
図５は、本発明が適用される根尖孔位置検出装置の一例を説明するための要部構成図で、図中、１は根尖孔位置（又は根管長）測定針（ファイル）、２は根尖孔位置（又は根管長）を測定しようとする歯牙、３は根管、４はストッパ、５は口唇、６は測定電極（ファイルホルダー）、７は対向電極、８は測定電極６に連通する測定電極用リード線、９は口唇５に引っかけられた対向電極７に連通する対向電極用リード線、１０はこれらリード線８，９が接続された根管長測定器、１１は根尖孔位置検出表示部で、周知のように、測定針（ファイル）１にファイルホルダー６を接触させた状態で、測定針１を根管３内に挿入していった時の根尖孔位置検出表示部１１の指針位置より測定針１の先端が根尖孔位置に達したことを知り、その状態でストッパ４を歯牙２の歯冠に当たる位置まで動かし、その状態で口腔外に取り出し、物差しで根管長測定針１の先端からストッパまでの長さを測定するものである。表示部１１は、例えば、ＬＥＤ，液晶等で構成され、ＡＰＥＸ（根尖孔位置），Ｗ．Ｌ（作業長：根管長）が表示され、根管長測定針１の先端が根尖孔位置に達した時に、アラーム等が鳴るようになっている。（なお、根尖孔位置を電気的に検出する方法としては、特公昭６２−２１８７号公報をはじめ、多数の公報が公開されているので、その詳細については省略する）。
【特許文献１】特公昭６２−２１８７号公報
【発明の開示】
【発明が解決しようとする課題】
【０００４】
上述のように、従来、根管長の測定は、根管長測定針をその先端が根尖孔に到達するまで挿入し、その状態で、測定針に挿通されたストッパを歯冠に当接させ、その後、測定針を歯根から引き出して、前記測定針の先端からストッパまでの距離（長さ）を物差し等を用いて計測しているが、物差しがいつも手元にあるとは限らず、その管理が面倒であった。
【０００５】
また、物差しを用いる場合、一方の手で測定針を持ち、他方の手で物差しを持って計測しなければならず、手元が不安定な場合、物差しでストッパを動かしてしまうことがある等使い勝手が悪かった。
【０００６】
本発明は、上述のごとき実情に鑑みてなされたもので、前述の物差しを根管長測定器に一体的に設け、物差しの管理をより容易確実にするとともに、片方の手での計測を可能として計測をより確実なものとし、更には、右利きの術者、左利きの術者にも使い勝手のよい歯科用根管長測定器を提供することを目的としてなされたものである。
【課題を解決するための手段】
【０００７】
請求項１の発明は、測定器筐体の表面に水平方向に延長する寸法目盛を有し、該寸法目盛は右端を０として左方に延長する目盛と、左端を０として右方に延長する目盛とからなることを特徴としたものである。
【０００８】
請求項２の発明は、請求項１の発明において、前記寸法目盛は、前記測定器筐体に対して着脱自在である目盛板に目盛られていることを特徴としたものである。
【０００９】
請求項３の発明は、請求項２の発明において、前記目盛板は、右端を０として左方に延長する目盛を有する目盛板と、左端を０として右方に延長する目盛を有する目盛板とからなることを特徴としたものである。
【００１０】
請求項４の発明は、請求項２の発明において、前記目盛板は、左端を０として左方に延長する目盛と、左端を０として右方に延長する目盛を有する単一の目盛板からなることを特徴としたものである。
【００１１】
請求項５の発明は、請求項２乃至４のいずれかの発明において、前記目盛板は、軸方向に直角の断面形状において、中央部が弧状に突出していることを特徴としたものである。
【００１２】
請求項６の発明は、請求項２乃至４のいずれかの発明において、前記目盛板は、少なくとも一端に、軸方向に直角の方向に、２つの凸部と、該２つの凸部の間に設けられた凹部を有し、該凹部に前記根管長測定針を該目盛板の軸方向に沿って挿入可能としたことを特徴としたものである。
【００１３】
請求項７の発明は、請求項１乃至６のいずれかの発明において、前記目盛は、根管長測定後における根管長測定針上のストッパの位置、すなわち、前記根管長測定針の先端から前記ストッパまでの長さを測定するものであることを特徴としたものである。
【発明の効果】
【００１４】
本発明は、上述のごとき実情に鑑みてなされたもので、前述の物差しを根管長測定器に一体的に設け、物差しの管理をより容易確実なものにするとともに、片方の手での計測を可能とし計測をより確実なものとし、更には、右利きの術者、左利きの術者にも使い勝手のよい歯科用根管長測定器を提供することを目的としてなされたものである。
【発明を実施するための最良の形態】
【００１５】
図１は、本発明による根管長測定器の一実施例を説明するための外観図で、図中、図５に示した従来技術と同様の作用をする部分には、図５の場合と同一の参照番号を付してあり、これらを使用して、根管長を根管長測定針１のストッパ４の位置に置き換えるまでの作業は、図５に示した従来技術と同様にして行われる。なお、図示例の場合、測定器１０にはリード線８，９を巻き取るための巻き取り機構を有し、術者に適した長さのリード線とすることができるようになっている。
【００１６】
根管長測定針１の先端からストッパ４までの長さに置き換えられた根管長は、従来技術においては、物差し等を用いて計測していたが、前述のように、物差しの管理が大変であり、更には、計測時、一般的には、片方の手に測定針を持ち、他方の手に物差しを持って計測しており、計測動作が不安定で、例えば、ストッパが物差しに当って移動されてしまう等の恐れがあった。
【００１７】
本発明は、上述のごとき従来技術の課題を解決するためになされたもので、例えば、図１に示すように、根管長測定器１０の筐体表面に、目盛板を着脱自在に、一体的に設けたものである。図１には、目盛板として、右利き術者用の目盛板１２Ｒを筐体表面の右側に設けられた目盛板取り付け基板１３Ｒに、左利き術者用の目盛板１２Ｌを筐体表面の左側に設けられた目盛板取り付け基板１３Ｌに水平方向に取り付ける例を示してある。右利き術者用の目盛板１２Ｒは、図示のように、右端を０（目盛）として、左方に延長して目盛が目盛られており、計測時、術者は、測定針１を右手に持って右方からストッパ４を目盛板の右端（０目盛）に当接させ、測定針１の先端を目盛板１２Ｒで読むことによって根管長を知ることができる。しかし、これでは左利きの術者には使用しにくいので、左利き術者用の目盛として、左端を０（目盛）として右方に延長して目盛が目盛られた目盛板１２Ｌを設けてある。
【００１８】
図２は、本発明の実施に使用して好適な他の目盛板の説明をするための図で、この例は、右利き術者用の目盛板と左利き用術者用の目盛板とを単一の目盛板１２で構成したもので、図示のように、この目盛板１２は、右利き術者用の目盛として、右端を０（目盛）として左方に延長する目盛と、左利き術者用の目盛として、左端を０（目盛）として右方に延長する目盛とが目盛られている。
【００１９】
図２に示した目盛板１２を使用する場合、右利きの術者は、該目盛板１２を測定器筐体の表面右側に装着し或いは目盛板１２を右方にスライドして取り付け基板１３2，１３3で支持し、該目盛板１２の右方の目盛を使用して計測し、左利きの術者は、該目盛板１２を測定器筐体の表面左側に装着し或いは目盛板１２を左方にスライドして取り付け基板１３1，１３2で支持し、該目盛板１２の左方の目盛を使用して計測する。
【００２０】
図３は、図２のIII−III線拡大断面図で、図示のように、目盛板１２（及び１２Ｒ、１２Ｌ）は、軸方向に直角な断面形状において、中央部１２’が弧状に突出しており、端部にストッパ４を当てた時に、該ストッパ４の下部が測定器筐体の表面や目盛板取り付け基板１３の端面に当ることなく、この弧状に突出した中央部１２’に当り、目盛板に当る前に他の物例えば測定器筐体の表面や目盛板取り付け基板の端面に当ってストッパの位置がずれてしまうようなことがなくなる。
【００２１】
図４は、本発明による目盛板の他の実施例を説明するための図で、図４（Ａ）は、図２のIV−IV線方向から見た図、図４（Ｂ）は、図４（Ａ）の斜視図を示す。
この実施例は、目盛板１４の端部に軸方向（目盛板１４の軸方向に対して直角の方向）に２つの凸部１４1，１４2を設け、これら凸部１４1と１４2の間に、測定針１が入る凹部１４0を設け、図４（Ｂ）に示すように、この凹部１４0に測定針１を挿入し、該測定針１のストッパ４を該凸部１４1，１４2に当接させるようにしたものである。このようにすると、図２に示した目盛板１２と同様、測定針１のストッパ４を容易に目盛板の端部に安定して当接することができ、測定針１を目盛板１４の軸方向に沿って正確に固定することができ、より、簡便に、かつ、正確に根管長を計測することができる。
なお、図４には、凹凸（１４1，１４2，１４0）部を目盛板の両端に設けた場合の例を示したが、図１に示したように、右端側に設けて右利き術者用とし、或いは、左端に設けて左利き術者用としてもよいことは容易に理解できよう。
【００２２】
なお、目盛板は、測定器筐体の表面に予め固定しておくことも考えられるが、測定針１は患者の口腔内で使用されるものであり、口腔内で使用された後に該目盛板に接触等して使用されるものであるため、目盛板は衛生に保つ必要がある。そのため、目盛板は、測定器筐体に対して着脱可能であり、しかも、オートクレーブ等の殺菌処理が可能である材料がであることが好ましい。
【図面の簡単な説明】
【００２３】
【図１】本発明による根管長測定器の一実施例を説明するための外観図である。
【図２】本発明の実施に使用して好適な他の目盛板の説明をするための図である。
【図３】本発明の実施に使用して好適な他の目盛板の説明をするための図で、図２のIII−III線拡大断面図である。
【図４】本発明の実施に使用して好適な他の目盛板の説明をするための図で、図２のIV−IV線側面図、及び、斜視図である。
【図５】本発明が適用される根尖孔位置検出装置の一例を説明するための要部構成図である。
【符号の説明】
【００２４】
１…根管長測定針、２…歯牙、３…根管、４…ストッパ、５…口唇、６…測定電極、７…対向電極、８…測定電極用リード線、９…対向電極用リード線、１０…根管長測定器、１１…根尖孔位置検出表示部、１２，１２Ｒ，１２Ｌ…目盛板、１３，１３Ｒ，１３Ｌ…目盛板取り付け板、１４…目盛板。
【図１】
2008068015.tif 000003
【図２】
2008068015.tif 000004
【図３】
2008068015.tif 000005
【図４】
2008068015.tif 000006
【図５】
2008068015.tif 000007